(57)【要約】【課題】  電柱等の長尺構造物を安全に吊り下げ保持し得る吊り具を提供する。また、その吊り具を用いた長尺構造物の吊り下げ工法を提供する。【解決手段】  電柱Ｐ等の長尺構造物を吊り下げるための吊り具であって、電柱Ｐの周囲を取り囲むように配置されると共に、ワイヤロープＹに上部が連結される円筒形の網本体１０を備え、網本体１０は、その上下方向の伸張に伴い幅方向に収縮する構造の網目１１を有する。また、この網製吊り具１を用いて電柱Ｐを吊り下げる。【選択図】  図９
2013194407.tif 000002
【特許請求の範囲】
【請求項１】
長尺構造物を吊り下げるための吊り具であって
長尺構造物の周囲を取り囲むように筒状に配置されると共に、索体に上部が連結される網本体を備え、
前記網本体は、その上下方向の伸張に伴い幅方向に網目が収縮する構造の網目を有することを特徴とする網製吊り具。
【請求項２】
前記長尺構造物として柱形状の構造物を対象とすることを特徴とする請求項１に記載の網製吊り具。
【請求項３】
前記網本体は、円筒形の外観を有することを特徴とする請求項１又は２に記載の網製吊り具。
【請求項４】
前記網本体は菱目網であり、且つ各網目に於いてその上下に位置した対角が前記網本体の上下方向に揃うように編まれていることを特徴とする請求項１〜３の何れかに記載の網製吊り具。
【請求項５】
前記網本体は筒状であり、その網糸は、前記網本体の上下方向に対して右廻りに旋回しながら延びる網糸と、左廻りに旋回しながら延びる網糸とを有し、
各網糸はその各所に於いて相互に交差すると共に隣り合う交点では上下互い違いに入れ替わるように編まれていることを特徴とする請求項１〜４の何れかに記載の網製吊り具。
【請求項６】
前記網本体は筒状であり、その一端には、前記長尺構造物の抜き差しが可能な開口が形成されていることを特徴とする請求項１〜５の何れかに記載の網製吊り具。
【請求項７】
前記網本体は、少なくとも２枚以上重ねて設けられていることを特徴とする請求項１〜６の何れかに記載の網製吊り具。
【請求項８】
前記網本体は、前記長尺構造物に対してその長手方向に分割可能に形成されていることを特徴とする請求項１〜７の何れかに記載の網製吊り具。
【請求項９】
前記索体は、前記網本体の上部においてその周方向複数箇所に連結されると共に、各索体に掛かる荷重が均等になるように、その連結部分の位置が定められていることを特徴とする請求項１〜８の何れかに記載の網製吊り具。
【請求項１０】
長尺構造物を内側に保持する網本体を有すると共に、この網本体の上下方向の伸張に伴い各網目が幅方向に収縮する構造の網製吊り具を用いた長尺構造物の吊り下げ工法であって、
前記長尺構造物に対して、その周囲を取り囲むように前記網本体を筒状に配置する工程と、
前記網本体の上部に索体を連結して網本体を吊り下げる工程と、
を有することを特徴とする長尺構造物の吊り下げ工法。
【請求項１１】
前記長尺構造物として柱形状の構造物を対象とすることを特徴とする請求項１０に記載の網製吊り具を用いた長尺構造物の吊り下げ工法。
【請求項１２】
前記網本体を予め筒状に形成すると共にその下端に開口を形成しておき、  この開口を通じて前記長尺構造物を抜き差しすることを特徴とする請求項１０又は１１に記載の長尺構造物の吊り下げ工法。
【請求項１３】
前記索体を引き上げて前記長尺構造物を宙吊りにする工程と、宙吊りの状態で前記網本体の開口を閉じる工程とをさらに含むことを特徴とする請求項１２に記載の長尺構造物の吊り下げ工法。
【請求項１４】
前記網本体を、少なくとも２層以上重ねて配置する工程を含むことを特徴とする請求項１０〜１３の何れかに記載の長尺構造物の吊り下げ工法。
【請求項１５】
前記網本体を長尺構造物に対してその長手方向に予め分割可能に形成しておき、
前記網本体によって吊り下げた長尺構造物を一端降ろすと共に、前記分割可能な網本体を分割して長尺構造物の表面を網本体外に露出させる工程をさらに含むことを特徴とする請求項１０〜１４の何れかに記載の長尺構造物の吊り下げ工法。
【請求項１６】
前記網本体外に露出した箇所から前記長尺構造物を切断する工程を含むことを特徴とする請求項１４に記載の長尺構造物の吊り下げ工法。
【発明の詳細な説明】
【技術分野】
【０００１】
本発明は、長尺構造物を吊り下げるための吊り具に関し、好適には柱状構造物の吊り下げに用いられる吊り具に関する。また、その吊り具を用いた長尺構造物の吊り下げ工法に関する。
【背景技術】
【０００２】
この種の従来技術として、例えば、図１２に示すワイヤ拘束具１００がある。
このワイヤ拘束具１００は、電柱１０１の建替え工事において、玉掛けワイヤ１０２と共に用いられる荷役具の一種であって、電柱に対する玉掛けワイヤの滑りを防止する機能を有する（特許文献１参照）。
【０００３】
具体的には、電柱１０１の表面に締着可能な合成樹脂製のワイヤ拘持体１０３とこのワイヤ拘持体１０３を電柱に締着するためのボルト１０４で構成され、電柱１０１と接する面には玉掛けワイヤを電柱に拘束するための凹部１０５が形成されている。
また、その使用法は、電柱１０１に玉掛けワイヤ１０２を巻回した後、ワイヤ拘持体１０３の凹部１０５にこの巻き回した玉掛けワイヤ１０２を通し、続いて、この玉掛けワイヤ１０２と共にワイヤ拘持体１０３を電柱１０１に締着する。
【０００４】
このように従来の荷役具を使用すると、電柱１０１に対する玉掛けワイヤ１０２の位置が拘束されるため、雨などで玉掛けワイヤが滑ったとしても、電柱は玉掛けワイヤから抜け落ちることなく保持される。
【先行技術文献】
【特許文献】
【０００５】
【特許文献１】特開２００２−３６４１７７号公報
【発明の概要】
【発明が解決しようとする課題】
【０００６】
ところで、電柱を玉掛けワイヤで絞って吊り下げるときには、玉掛けワイヤの抜け落ちのみならず、吊り下げた電柱が折れる場合もある。
とりわけ、電柱の撤去作業では、先細りの電柱形状に起因して玉掛けワイヤが先端側にずれやすく、また、老朽化に伴い電柱が脆く折れ易くなっている。このためその吊り下げ作業は慎重さを要するものであった。
また、電柱のみならず他の長尺構造物を吊り下げる場合も同様であり、玉掛けワイヤによる縛りが緩いと吊り下げた構造物が抜け落ちることもある。
【０００７】
本発明は、上記した課題を解決するためになされたもので、電柱等の長尺構造物を安全に吊り下げて保持し得る吊り具の提供を課題とする。また、その吊り具を用いた長尺構造物の吊り下げ工法を提供することを課題とする。
【課題を解決するための手段】
【０００８】
すなわち、本発明は、長尺構造物を吊り下げるための吊り具であって、
長尺構造物の周囲を取り囲むように筒状に配置されると共に、索体に上部が連結される網本体を備え、
前記網本体は、その上下方向の伸張に伴い幅方向に網目が収縮する構造の網目を有する。
【０００９】
このように構成された本発明の吊り具は、筒状に配置された網本体の内側で長尺構造物を保持する。また、その保持力は、網本体の上下方向の伸張に伴って各網目が幅方向に詰まることで、網本体の周長が減少し、結果として網本体を内側に収縮させる力が生じる。よって、長尺構造部材がその長手方向における広範囲で締め付けられ、その締め付け力と、長尺構造物の表面に作用する摩擦力とによって保持力を生じさせることができる。
つまり、長尺構造物をその長手方向における広範囲で締め付けて吊り下げるため、吊り具の滑りが抑制される。
【００１０】
また、前記長尺構造物として、種々の柱形状の構造物を対象とすることができる。
すなわち、本発明によれば、長尺構造物が柱形状の場合、その全周囲が網本体に接するため、大きな保持力が得られる。
【００１１】
また、前記網本体は、円筒形の外観を有することができる。
すなわち、網本体が円筒形の場合、その全周においていずれも均等な締め付け力が得られる。
【００１２】
また、前記網本体は菱目網であり、且つ各網目に於いてその上下に位置した対角が前記網本体の上下方向に揃うように編まれている構成としてもよい。
このような構成とすれば、菱目の対角が網本体の上下方向に揃えて設けられるため、網本体の上下方向の伸びに対して各網目が幅方向に変形し易く、高い収縮率が得られる。
【００１３】
また、前記網本体は筒状であり、その網糸は、前記網本体の上下方向に対して右廻りに旋回しながら延びる網糸と、左廻りに旋回しながら延びる網糸とを有し、各網糸はその各所に於いて相互に交差すると共に、隣り合う交点では上下互い違いに入れ替わるように編まれている構成としてもよい。
【００１４】
この構成では、網糸が筒状の網本体に対して螺旋状（スパライル状）に配設される。このため網本体の上下方向に伸びによって各網糸が網本体の内側に絞られ、さらに各網目に捻りが生じて幅方向に収縮する。よって、各網糸が網本体の中心に向かって位置を変えようとする力と、網本体の収縮とによる相乗効果によって強い締め付け力が発生する。
【００１５】
また、前記網本体は筒状であり、その一端には、前記長尺構造物の抜き差しが可能な開口が形成されている構成であってもよい。  この構成では、網本体の端部に形成された開口から網本体内に長尺構造物を差し入れたり、逆に引き出したりすることができる。すなわち、筒状に形成された網本体を長尺構造物に対して容易に脱着できる。
【００１６】
また、前記網本体は、少なくとも２層（２枚）以上重ねて設けられる構成でもよい。この構成では、網本体が少なくとも２重になっているため、一方の網が破れても残りの網で長尺構造物を保持できる。
【００１７】
また、前記網本体は、前記長尺構造物に対してその長手方向に分割可能に形成される構成でもよい。
すなわち、網本体を上下複数段に分割できるため、網本体の脱着が容易になる他、長尺構造物の中間付近を、必要に応じて網本体外に露出させることも可能になる。
【００１８】
また、前記索体は、前記網本体の上部においてその周方向複数箇所に連結されると共に、各索体に掛かる荷重が均等になるようにその連結部分の位置が定められている構成でもよい。
このような構成とすれば、長尺構造物をその軸芯付近において真っ直ぐに吊り下げることができる。
【００１９】
また、本発明は、長尺構造物を内側に保持する網本体を有すると共に、この網本体の上下方向の伸張に伴い、各網目が幅方向に収縮する構造の網製吊り具を用いた長尺構造物の吊り下げ工法であって、
前記長尺構造物に対して、その周囲を取り囲むように前記網本体を筒状に配置する工程と、
前記網本体の上部に索体を連結して網本体を吊り下げる工程と、
を有することを特徴とする。
【００２０】
すなわち、長尺構造物に対して、その周囲を取り囲むように網本体を筒状に配置し、索体による網本体の吊り下げに伴って、網本体が内側に収縮する力を利用して長尺構造物を保持し吊り下げる。すなわち、上述した網製吊り具を用いて長尺構造物を吊り下げるものであり、長尺構造物がその長手方向における広範囲で締め付けられて保持されるため、吊り具の滑りを抑制しながら安全に吊り下げ作業を行える。
【００２１】
また、前記長尺構造物として、種々の柱形状の構造物を対象にしてもよい。
【００２２】
また、前記網本体を予め筒状に形成すると共にその下端に開口を形成しておき、この開口を通じて前記長尺構造物を抜き差ししてもよい。
この工法によれば、筒状に形成された網本体を長尺構造物に対して容易に脱着できる。
【００２３】
また、前記索体を引き上げて前記長尺構造物を宙吊りにする工程と、宙吊りの状態で前記網本体の開口を閉じる工程とをさらに含んでもよい。
この構成によれば、網本体の末端が閉じられるため、仮に網本体が滑り、長尺構造物が脱落する状況に至っても、長尺構造物は網本体内から抜け落ちることなく、これを網本体内に留めることができる。
【００２４】
また、前記網本体を、少なくとも２層以上に重ねて配置する工程を含んでもよい。この工法によれば、網本体が少なくとも２重になっているため、一方の網が破れても残りの網で長尺構造物を保持できる。
【００２５】
また、前記網本体を長尺構造物に対してその長手方向に予め分割可能に形成しておき、前記網本体によって吊り下げた長尺構造物を一旦降ろすと共に、前記分割可能な網本体を分割して長尺構造物の表面を網本体外に露出させる工程をさらに含んでもよい。
この工法によれば、網本体を完全に抜き去ることなく長尺構造物の中間付近を網本体外に露出させることができるため、その露出した箇所より各種作業を行える。
【００２６】
また、前記網本体外に露出した箇所から前記長尺構造物を切断する工程を含んでもよい。この工法では、網本体を完全に抜き去ることなく長尺構造部材を切断して分割できる。
【発明の効果】
【００２７】
以上、本発明によれば、電柱等の長尺構造物を安全に吊り下げ保持し得る吊り具を提供することができる。また、その吊り具を用いた長尺構造物の吊り下げ工法を提供できる。
【図面の簡単な説明】
【００２８】
【図１】本発明の実施の形態に示す網製吊り具の分解図である。
【図２】上部網とシャックルの連結状態を示す平面拡大図である。
【図３】上部網とシャックルの連結状態を示す側面拡大図である。
【図４】下部網とシャックルの連結状態を示す側面拡大図である。
【図５】本実施の形態に示す菱目網(a)とその収縮状態(b)を示す図である。
【図６】図５の模式図である。
【図７】網本体の内側向きに作用する力を説明するための図である。
【図８】網糸の変位によって生じる締め付け力を説明するための図である。
【図９】電柱の吊り下げ作業を説明するための図である。
【図１０】本発明に係る網目の変形例を示す図である。
【図１１】本発明に係る網目の変形例を示す図である。
【図１２】従来の荷役具を示す斜視図である。
【発明を実施するための最良の形態】
【００２９】
以下、本発明の好適な実施形態として電柱仕様の網製吊り具を図面を参照して説明する。
本実施の形態に示す網製吊り具１は、電柱の周囲を取り囲むように筒状に配置されると共に、ワイヤロープ（索体）Ｙに上部が連結される網本体１０を備えて構成されている。
【００３０】
網本体１０は、図１に示すように、ワイヤロープＹに吊り下げられる１段目の上部網体３０と、この上部網体３０の下方に連結される下部網体４０とを備え、各々両端が開口した円筒形の外観を有している。また、図９に示すように、これら上下２段構造の網本体１０内に電柱Ｐが差し込まれ、この網本体１０が電柱Ｐの周囲を取り巻く形ように筒状に配置される。そして、ワイヤロープＹの引き上げによって網本体１０と共に電柱Ｐが吊り下げられる仕組みである。
【００３１】
上部網体３０は、ポリエチレン製網糸（４４０ｄｔｅｘ／８００本（φ８．９ｍｍ））の２層（２枚）仕立てで、吊り下げ対象が電柱Ｐの場合には全長３ｍに設定されている。また、各端部の口径は、吊り下げ対象の電柱Ｐに比べて若干大きい０．３２ｍ程度に設定されている。
【００３２】
また、上下の各開口部３１，３２には、補強用の縁ロープ（クレモナ製φ２０ｍｍ）３３，３４が組み込まれ、上部網体３０は、上端側開口部３１において縁ロープ３３に組み付けられたシャックル３５を介して、吊り下げ用のワイヤロープ（φ１２）Ｙに吊り下げられる。
【００３３】
なお、図２及び図３に示すように、シャックル３５は上端側開口部３１に対してその周囲を４等分する位置（９０度毎）にそれぞれ配置され、各シャックル３５間には、上部網体３０を保護するためのポリエチレン製保護カバー３６が取り付けられている。また、シャックル３５には、縁ロープ３３及び網糸３７の双方を括り付ける。
【００３４】
一方、下部網体４０は、ポリエチレン製網糸（４４０ｄｔｅｘ／８００本（φ８．９ｍｍ））からなる１層の仕立てで、全長１０〜１４ｍの範囲で複数種類が用意されている。また、各端部の口径は、上部網体３０に比べて若干太い０．４ｍ程度に設定され、下端の根もとに向かって径が太くなる電柱Ｐに対応している。
【００３５】
また、図４に示すように下部網体４０の上端開口部４１、すなわち上部網体３０に連結される側には、上部網体３０と同様に、補強用の縁ロープ（クレモナ製φ２０ｍｍ）４２が組み込まれ、下部網体４０は、この縁ロープ４２に組み付けられたシャックル４３によって上部網体３０の下端に吊り下げられる。
なお、連結に用いられるシャックル４３も、下部網体４０の上端側開口部４１に対してその周囲を４等分するように配置されている。また、縁ロープ４２のみならず網糸４４もシャックル４３に対して共に括り付けられている。
【００３６】
また、下部網体４０の下端には、巾着ロープ（ポリエチレン製φ８ｍｍ）４５が組み込まれ、この巾着ロープ４５を引くことで下部網体４０の下端側開口端４６を閉じたり開いたりできる。
【００３７】
続いて、これら上部網体３０及び下部網体４０の詳細な網目構造について、図５〜図８を参照しながら説明する。
なお、上部網体３０及び下部網体４０共に同構造の網目を有しているため、以下、上部網体３０の網目構造を例にあげて説明する。
【００３８】
上部網体３０は、図５（ａ）に示すように各交点において結び目の無い菱目（目合１００ｍｍ×１００ｍｍ）の無結節網であり、各網目の上下に位置した対角が上部網体３０の上下方向（長手方向）に揃うように各網目が配置されている。
また、各網糸３７は、円筒形の外観を有する上部網体３０において螺旋状になり、これら螺旋状に組まれた網糸３７が、その各所で相互に交差しながら菱目を形成している。
【００３９】
具体的には、図５（ａ）に示すように右周りに延びる右捲き網糸３７ａと、左周りに延びる左捲き網糸３７ｂから構成され、これら網糸３７ａ，３７ｂがその交点において上下互い違いに交わりながら網目を形成している。すなわち、図５（ａ）の左捲き網糸３７ｂを基準として、その左捲き網糸３７ｂにおける交点を追っていくと、図５（ａ）中交点Ａでは左捲き網糸３７ｂが右捲き網糸３７ａの上を通過し、続く交点Ｂでは左捲き網糸３７ｂが右捲き網糸３７ａの下を通過している。このように各網糸３７ａ，３７ｂがその隣り合う交点において上下互い違いに入れ替わりながら菱目を形成している。
【００４０】
続いて、網本体１０が作り出す保持力を説明する。
上記のように各網目は菱目であり、且つ、その上下に位置した対角が網本体１０の上下方向に揃うように編まれている。このため図５（ｂ）に示すように網本体１０が上下方向（図中矢印ｈ方向）に引き延ばされると、上下方向の目合寸法は大きくなり、逆に幅方向（図中矢印ｗ方向）の目合寸法は小さくなる。
【００４１】
すなわち、図６に示すように、索体の引き上げに伴う引っ張り荷重Ｔ１が網本体１０に作用すると、網本体１０は、その上下方向に伸張して網目１１が幅方向に収縮するため、この現象に伴って網本体１０の周囲長が短くなり、結果として網本体１０が径方向に絞られる。よって、網本体１０の周囲において網本体１０の中心を向いた締め付け力（図６中矢印Ｆ、及び図７中矢印Ｆ１）が発生する。なお、引っ張り荷重Ｔ１に対して相反する方向に作用する抗力Ｍは、網本体１０の自重、及び網本体１０と電柱との間に生じる摩擦などによって生じる。
【００４２】
また、螺旋状に取り回された網糸３７に対して、索体の引き上げに伴う引っ張り荷重Ｔ２が作用すると、図８に示すように、各網糸３７が円筒形をなす網本体１０の中心に向かってその位置を変えようと変位する。また、各網目に捻れが生じて網目が幅方向に収縮し、これら各網糸３７が網本体１０の中心に向かって位置を変えようとする力と、網本体１０の収縮とによる相乗効果によって強い締め付け力（図中矢印Ｆ２）が発生する。
【００４３】
このように本実施の形態に示す網本体１０は、その上下方向の伸張に伴い内側に収縮する網目構造を有すため、その収縮力が電柱を締め付ける力となって電柱に対して広範囲に作用し、結果として網本体１０の滑りが抑制される。
【００４４】
続いて、上記した本発明の網製吊り具１を用いた既設電柱Ｐの撤去作業について、図９を参照して説明する。
まず、電柱Ｐの撤去に先立ち、既設電柱Ｐの長さに合わせて網製吊り具１を準備する。具体的には、既設電柱Ｐの長さを考慮して下部網体４０の長さを選定し、選定された下部網体４０を上部網体３０の下端に、シャックル４３を用いて連結する。また、上部網体３０の上端側開口部３１にワイヤロープＹを連結する。
【００４５】
続いて、電柱Ｐに組み付けられている架線や金具等の突出物を取り外した後、レッカー（ラフタークレーン）を使用して網製吊り具１を吊り上げ、この吊り上げられた網製吊り具１を電柱Ｐの頭部から被せる（図９（ａ）参照）。
【００４６】
具体的には、高所作業車に乗り込んだ作業員が、下部網体４０の巾着ロープ４５を緩めて下部網体４０の下端を開き、この開口から網製吊り具１内に電柱Ｐを導き差し入れる。そして、網製吊り具１を定位置まで引き下ろして網製吊り具１の設置を終える（図９（ｂ）参照）。
【００４７】
続いて、電柱Ｐの根本にクランプ等を装着して油圧ジャッキを据え付け、網製吊り具１で電柱Ｐを仮吊りしながら電柱Ｐを支え、油圧によって電柱Ｐを地中から徐々に引き抜く（図９（ｃ）参照）。
【００４８】
続いて、電柱Ｐが引き抜かれた事を確認した後、網製吊り具１によって電柱Ｐを宙に吊り下げる。また、この状態で巾着ロープ４５を絞り、下部網体４０の下端開口部４６を閉じて網製吊り具１内に電柱Ｐすべてを収容する（図９（ｄ）参照）。
【００４９】
なお、本発明者等が行った事前の各種試験によれば、上記の電柱仕様では、その上端から約３ｍの範囲で、電柱Ｐの全荷重を保持していることが確認できた。すなわち、単に電柱Ｐを吊り下げるといった機能面だけで考えれば、長さ３ｍの上部網体３０だけで足り、下部網体４０の下端を解放した状態でも電柱Ｐを安全に吊り下げることが可能であると認められる。
【００５０】
続いて、電柱Ｐを台木５０の上に移動して仮置きし、上部網体３０と下部網体４０の連結部分を外して電柱Ｐの表面を網本体１０外に露出させる。また、この露出した箇所から電柱Ｐをその中間部分で切断する（図９（ｅ）参照）。
そして、短く軽くなった電柱Ｐの端部を持ち上げ、上部網体３０並びに下部網体４０を電柱Ｐから引き剥がして作業を終える。
【００５１】
このように本発明の網製吊り具１を用いた電柱Ｐの撤去作業では、電柱Ｐをワイヤロープで絞ることなく網本体１０を用いて吊り下げるため、ワイヤロープの滑りによる電柱Ｐの脱落を防止できる。また、電柱Ｐが途中で折れても、その折れた部分が網本体１０内に確保されるため折れた電柱の落下も回避される。
【００５２】
なお、上記では電柱Ｐの撤去作業を例示したが、電柱の新設作業にも本発明の網製吊り具１は有用である。すなわち、本発明の網製吊り具１は電柱を垂直に吊り下げることができるため、建て込み位置に対してその直上から電柱を垂直に差し入れることができる。
【００５３】
つまり、同じ長さの索体を用い、上部網体３０の開口部３１に対して、その周方向各所における引っ張り荷重が均等になるように索体を連結すれば、電柱の軸心を通る鉛直線上で電柱を吊り下げることができる。よって、架線が多く作業スペースの確保が難しい狭い現場においても、建て込み位置に対して架線の合間を縫うようにその上空から電柱Ｐを差し入れ設置できる。
【００５４】
このように本網製吊り具１は、吊り下げ作業時の安全性を確保できる他、作業性の向上にも寄与できる。
【００５５】
なお、上記した網製吊り具１の構造、並びに網製吊り具１を用いた長尺構造物の吊り下げ工法は、あくまでも一例であり、各種用途に応じて変更可能である。
【００５６】
例えば、上記した実施の形態では、網本体の締め付け効率を考慮して菱目を採用したが、図１０及び図１１に示すように、六角形（亀甲型）の網目や丸形の網目等を採用してもよい。すなわち、上下方向における目合寸法の増加に伴い幅方向の目合寸法が減少する形状の網目であれば本網製吊り具に採用できる。
【００５７】
また、上記した実施の形態では、網本体１０の締め付け効率を考慮して、螺旋状に網糸３７ａ，３７ｂを有する無結節網を採用しているが、螺旋状に網糸３７を配置せずとも、上記した網目の形状に起因した締め付け力のみで長尺構造物の締め付けは可能である。すなわち、交点が互いに絡み合う有結節網を採用してもよい。
【００５８】
また、上記した実施の形態では、網本体１０を予め筒状に形成しているが、平面上の網本体１０を長尺構造物に巻き付け、その網本体１０が長尺構造物の周囲において筒形状を維持し得るように網本体１０の端部を各所で繋ぎ合わせるなどの工法も採用できる。
【００５９】
また、上記した実施の形態では、上下２分割の構成を採用したが、非分割式や３分割式でもよく、また、網本体１０の素材にポリエチレン等の樹脂を採用したが、金網等、異種の素材を採用してもよい。
【００６０】
また、上記した実施の形態では、吊り下げ対象として円形の断面を有する電柱を例示したが、本網製吊り具特有の締め付け力を作用させ得る面を十分に確保できる形状や長さがあれば、楕円、多角形、さらには異形の断面を有する長尺構造物の吊り下げにも本網製吊り具は用いることができる。
さらに、上部網体３０は、ポリエチレン製網糸の２層（２枚）仕立ての例を示したが、これは１層であってもよい。一方、下部網体４０は、ポリエチレン製網糸からなる１層の仕立ての例を示したが、これは２層又はそれ以上の複数層からなるものであってもよい。
【００６１】
なお、異形の断面を有する長尺構造物としては、Ｃ型、Ｌ型、Ｈ型、Ｉ型等の各種長尺鋼材、また角パイプやフラットバー、鉄筋棒などを例示できる。
【００６２】
また、上記した実施の形態では、既設電柱の撤去作業を例に説明したが、本網製吊り具を用いた長尺構造物の吊り下げ工法は、様々な分野で利用できる。例をあげれば、ビル等に対する資材の荷上げ作業、地中に埋設された土中管の入れ替え工事など、様々な現場に採用できる。
【００６３】
また、上記した実施の形態では、締め付け効率を考慮して円筒形の網本体を採用したが、本発明特有の締め付け力は円形の断面を有する網本体のみならず、楕円や多角形状の断面を有する筒形状においても発揮される。
すなわち、網本体が上下方向に十分長く、長尺構造物の吊り下げに伴って網本体が広範囲にわたって内側に収縮し得る形状であれば、網本体の断面形状を各種仕様に応じて変更可能である。
【符号の説明】
【００６４】
１  網製吊り具
１０  網本体
１１  網目
３０  上部網体
３１  上部網体の上端側開口部
３３，３４  縁ロープ
３５  シャックル
３６  ポリエチレン製保護カバー
３７  上部網体の網糸
３７ａ  右捲き網糸
３７ｂ  左捲き網糸
４０  下部網体
４１  下部網体の上端開口部
４２  縁ロープ
４３  シャックル
４４  下部網体の網糸
４５  巾着ロープ
４６  下部網体の下端側開口端
５０  台木
Ｆ１，Ｆ２  締め付け力
Ｍ  抗力
Ｔ１，Ｔ２  引っ張り荷重
Ｐ  電柱（長尺構造物）
Ｙ  ワイヤロープ（索体）
【図１】
2013194407.tif 000003
【図２】
2013194407.tif 000004
【図３】
2013194407.tif 000005
【図４】
2013194407.tif 000006
【図５】
2013194407.tif 000007
【図６】
2013194407.tif 000008
【図７】
2013194407.tif 000009
【図８】
2013194407.tif 000010
【図９】
2013194407.tif 000011
【図１０】
2013194407.tif 000012
【図１１】
2013194407.tif 000013
【図１２】
2013194407.tif 000014